(57)【要約】【課題】複数の面状発光素子の間に形成される隙間に構造物を設置した場合であっても、輝度差が拡大することを抑制できる照明装置を提供する。【解決手段】照明装置１００は、行列状に配列された複数の面状発光素子１０と、複数の面状発光素子１０を保持する保持部材と、複数の面状発光素子１０に対向するように配置された光学部材３０と、保持部材上に設けられ、光学部材３０を支持する支持部材４０とを備える。面状発光素子１０は、発光部Ｒ１および非発光部Ｒ２をさらに含む。互いに隣り合う面状発光素子１０が並ぶ第１方向において、互いに隣り合う発光部Ｒ１間に第１領域Ｒ３が形成され、互いに隣り合う面状発光素子１０間に第２領域Ｒ４が形成される。支持部材４０が、面状発光素子１０の表面の法線方向から見た場合に、第１領域Ｒ３と第２領域Ｒ４とが重なる領域Ｒ５に設けられている。【選択図】図４
2015173009.tif 000002
【特許請求の範囲】
【請求項１】
表面および裏面をそれぞれ含み、行列状に配列された複数の面状発光素子と、
前記面状発光素子の前記裏面側から複数の前記面状発光素子を保持する保持部材と、
複数の前記面状発光素子に対して間隔を空けて前記面状発光素子の前記表面側から複数の前記面状発光素子に対向するように配置された光学部材と、
前記保持部材上に設けられ、前記光学部材を支持する支持部材とを備え、
前記面状発光素子は、前記表面側から光を出射する発光部および上記発光部の外周に位置する非発光部をさらに含み、
互いに隣り合う前記面状発光素子が並ぶ第１方向において、互いに隣り合う前記発光部間に第１領域が形成され、互いに隣り合う前記面状発光素子間に第２領域が形成され、
前記支持部材が、前記面状発光素子の前記表面の法線方向から見た場合に、前記第１領域と前記第２領域とが重なる第３領域に設けられている、照明装置。
【請求項２】
前記面状発光素子および前記発光部は、前記面状発光素子の前記表面の法線方向から見た場合に、矩形形状を有する、請求項１に記載の照明装置。
【請求項３】
前記面状発光素子の前記表面の法線方向から見た場合に、前記第３領域は、中心が一致する矩形形状の第４領域を含み、
前記第１方向に沿った前記第４領域の長さは、前記第１方向において互いに隣り合う前記面状発光素子間の間隔の半分であり、
前記第１方向に直交する第２方向に沿った前記第４領域の長さが前記第２方向に沿った前記発光部の長さの半分であり、
前記支持部材は、前記第４領域に設けられている、請求項２に記載の照明装置。
【請求項４】
前記光学部材と前記保持部材との間に形成される空間に面する前記支持部材の表面が、光拡散性を有する、請求項１から３のいずれかに記載の照明装置。
【請求項５】
前記支持部材のうち少なくとも前記光学部材と前記保持部材との間に位置する部分が光透過性を有する、請求項１から３のいずれかに記載の照明装置。
【発明の詳細な説明】
【技術分野】
【０００１】
本発明は、照明装置に関し、特に、行列状に配置された複数の面状発光素子を備える照明装置に関する。
【背景技術】
【０００２】
近年、有機ＥＬ（Organic  Electroluminescence）等を利用した面状発光素子を用いた照明装置が各種提案されている。この照明装置を大型化しようとした場合、複数の面状発光素子を行列状に並べることになる。
【０００３】
複数の面状発光素子が行列状に配置されることにより形成された照明装置が開示された文献として、たとえば特開２０１０−１１３９５４号公報（特許文献１）が挙げられる。
【０００４】
特許文献１に開示の照明装置は、所定の間隔を開けて行列状に配置された複数の面状発光素子と、面状発光素子の発光部から所定の距離を隔てて光拡散性を有する光学部材と、光学部材および複数の面状発光素子を支持する複数の支持部材とを備える。
【０００５】
複数の面状発光素子の間には、格子状の隙間が形成される。複数の支持部材のそれぞれは、格子状の隙間のうち、行方向に延在する部分と、列方向に延在する部分とが交差する領域に設けられている。支持部材の先端側に設けられた突起部の裏面が、互いに近接するように配置された面状発光素子の角部の表面に接触することにより、複数の面状発光素子が支持部材によって支持される。光学部材は、支持部材の先端によって支持されている。
【先行技術文献】
【特許文献】
【０００６】
【特許文献１】特開２０１０−１１３９５４号公報
【発明の概要】
【発明が解決しようとする課題】
【０００７】
複数の面状発光素子を行列状に配置する場合には、隣り合う面状発光素子間の隙間において輝度が低下する。格子状の隙間のうち、行方向に延在する部分と、列方向に延在する部分とが交差する領域は、各面状発光素子の発光部から離れた場所に位置する。このため、当該領域は、発光部から出射される光の回り込みが少なくなり、照明装置において最も輝度が低くなる。
【０００８】
特許文献１に開示の照明装置のように、上記領域に支持部材を配置した場合には、発光部から回り込んできた光が支持部材によってけられるため、さらに当該領域において輝度が低下する。照明装置内で輝度差がさらに拡大することにより、輝度ムラが悪化することが懸念される。
【０００９】
本発明は、上記のような問題に鑑みてなされたものであり、本発明の目的は、複数の面状発光素子の間に形成される隙間に構造物を設置した場合であっても、輝度差が拡大することを抑制できる照明装置を提供することにある。
【課題を解決するための手段】
【００１０】
本発明に基づく照明装置は、表面および裏面をそれぞれ含み、行列状に配列された複数の面状発光素子と、上記面状発光素子の上記裏面側から複数の上記面状発光素子を保持する保持部材と、複数の上記面状発光素子に対して間隔を空けて上記面状発光素子の上記表面側から複数の上記面状発光素子に対向するように配置された光学部材と、上記保持部材上に設けられ、上記光学部材を支持する支持部材とを備える。上記面状発光素子は、上記表面側から光を出射する発光部および上記発光部の外周に位置する非発光部をさらに含む。互いに隣り合う上記面状発光素子が並ぶ第１方向において、互いに隣り合う上記発光部間に第１領域が形成され、互いに隣り合う上記面状発光素子間に第２領域が形成される。上記支持部材が、上記面状発光素子の上記表面の法線方向から見た場合に、上記第１領域と上記第２領域とが重なる第３領域に設けられている。
【００１１】
上記本発明に基づく照明装置にあっては、上記面状発光素子および上記発光部は、上記面状発光素子の上記表面の法線方向から見た場合に、矩形形状を有することが好ましい。
【００１２】
上記本発明に基づく照明装置にあっては、上記面状発光素子の上記表面の法線方向から見た場合に、上記第３領域は、中心が一致する矩形形状の第４領域を含むことが好ましい。この場合には、上記第１方向に沿った上記第４領域の長さは、上記第１方向において互いに隣り合う上記面状発光素子間の間隔の半分であることが好ましく、上記第１方向に直交する第２方向に沿った上記第４領域の長さが上記第２方向に沿った上記発光部の長さの半分であることが好ましい。さらに、上記支持部材は、上記第４領域に設けられていることが好ましい。
【００１３】
上記本発明に基づく照明装置にあっては、上記光学部材と上記保持部材との間に形成される空間に面する上記支持部材の表面が、光拡散性を有することが好ましい。
【００１４】
上記本発明に基づく照明装置にあっては、上記支持部材のうち少なくとも上記光学部材と上記保持部材との間に位置する部分が光透過性を有することが好ましい。
【発明の効果】
【００１５】
本発明によれば、複数の面状発光素子の間に形成される隙間に構造物を設置した場合であっても、輝度差が拡大することを抑制できる照明装置を提供することができる。
【図面の簡単な説明】
【００１６】
【図１】本発明の実施の形態１に係る照明装置に具備される面状発光素子を示す平面図である。
【図２】図１に示すＩＩ−ＩＩ線に沿った断面図である。
【図３】本発明の実施の形態１に係る照明装置を示す断面図である。
【図４】図３に示す照明装置の平面図である。
【図５】照明装置に具備される支持部材の設置位置を示す図である。
【図６】図５に示すＡ地点に支持部材を設置した場合における図５に示すＤ−Ｄ線に沿った輝度分布を示す図である。
【図７】図５に示すＢ地点に支持部材を設置した場合における図５に示すＤ−Ｄ線に沿った輝度分布を示す図である。
【図８】図５に示すＣ地点に支持部材を設置した場合における図５に示すＤ−Ｄ線に沿った輝度分布を示す図である。
【図９】変形例に係る照明装置おいて図５に示すＡ地点に支持部材を設置した場合における図５に示すＤ−Ｄ線に沿った輝度分布を示す図である。
【図１０】本発明の実施の形態２に係る照明装置を示す平面図である。
【発明を実施するための形態】
【００１７】
以下、本発明の実施の形態について、図を参照して詳細に説明する。なお、以下に示す実施の形態においては、同一のまたは共通する部分について図中同一の符号を付し、その説明は繰り返さない。また、個数、量などに言及する場合、特に記載がある場合を除き、本発明の範囲は必ずしもその個数、量などに限定されない。
【００１８】
（実施の形態１）
（面状発光素子）
図１は、本実施の形態に係る照明装置に具備される面状発光素子を示す平面図である。図２は、図１に示すＩＩ−ＩＩ線に沿った断面図である。図１および図２を参照して本実施の形態に係る照明装置に具備される面状発光素子１０について説明する。
【００１９】
図１および図２に示すように、面状発光素子１０は、たとえば有機ＥＬ素子から構成される。面状発光素子１０は、透明基板１２、陽極１３、有機層１４、陰極１５、封止層１６、絶縁層１７を含む。面状発光素子１０は、表面１０ａおよび裏面１０ｂを含む。面状発光素子１０ａの表面１０ａは、透明基板１２の有機層１４とは反対側の主面に相当する。面状発光素子１０の裏面１０ｂは、封止層１６の陰極１５とは反対側の主面に相当する。
【００２０】
透明基板１２は、たとえば各種のガラス基板から構成される。透明基板１２を構成する部材としては、ＰＥＴ、ＰＣ等のフィルム基板が用いられてもよい。透明基板１２の表面に、陽極１３、有機層１４、および陰極１５が順次積層される。
【００２１】
陽極１３は、透明性を有する導電膜である。陽極１３を形成するためには、スパッタリング法等によって、ＩＴＯ（Indium  Tin  Oxide：インジウム錫酸化物）等が透明基板１２上に成膜される。フォトリソグラフィ法等によりＩＴＯ膜が所定の形状にパターニングされることによって、陽極１３が形成される。本実施の形態における陽極１３は、電極部１８（陽極用）および電極部１９（陰極用）を形成するために、パターニングによって２つの領域に分割されている。
【００２２】
有機層１４（発光部）は、電力を供給されることによって光（可視光）を生成することができる。有機層１４は、単層の発光層から構成されていてもよく、正孔輸送層、発光層、正孔阻止層、および電子輸送層などが順次積層されることによって構成されていてもよい。
【００２３】
陰極１５は、たとえばアルミニウム（ＡＬ）である。陰極１５は、真空蒸着法等によって有機層１４を覆うように形成される。陰極１５を所定の形状にパターニングするために、真空蒸着の際にはマスクが用いられるとよい。
【００２４】
陰極１５と陽極１３とが短絡しないように、陰極１５と電極部１８側の陽極１３との間に絶縁層１７が設けられる。陰極１５の絶縁層１７が設けられる側とは反対側の部分は、電極部１９側の陽極１３に接続される。絶縁層１７は、たとえばスパッタリング法を用いてＳｉＯ２などが成膜された後、フォトリソグラフィ法等を用いて陽極１３と陰極１５とを互いに絶縁する箇所を覆うように所望のパターンに形成される。
【００２５】
封止層１６は、絶縁性を有する樹脂またはガラス基板などから構成される。封止層１６は、有機層１４を水分等から保護するために形成される。封止層１６は、陽極１３、有機層１４、および陰極１５の略全体を透明基板１２上に封止する。陽極１３の一部は、電気的な接続のために、封止層１６から露出している。
【００２６】
陽極１３の封止層１６から露出している（図４左側の）部分は、電極部１８を構成する。電極部１８と陽極１３とは互いに同じ材料で構成される。電極部１８は、面状発光素子１０の外周部に位置する。陽極１３の封止層１６から露出している（図４右側の）部分は、電極部１９を構成する。電極部１９と陽極１３とは互いに同じ材料で構成される。電極部１９も、面状発光素子１０の外周部に位置する。電極部１８および電極部１９は、有機層１４を挟んで相互に反対側に位置している。電極部１８および電極部１９には、はんだ付け（銀ペースト）等を用いて配線パターン（図示せず）が取り付けられる。
【００２７】
以上のように構成される面状発光素子１０においては、発光部Ｒ１および非発光部Ｒ２が形成される。発光部Ｒ１が形成される部分は、表面１０ａ（光放射面）の中央側に位置し、有機層１４が形成されている領域に略対応している。非発光部Ｒ２が形成される部分は、発光部Ｒ１の外周に位置し、電極部１８，１９が形成されている領域に略対応している。発光部Ｒ１は、面状発光素子１０の表面１０ａ側から光を出射する。
【００２８】
透明基板１２の外形サイズは、幅１００ｍｍ×奥行き１００ｍｍであり、発光部Ｒ１の外形サイズは、幅（図４中Ｌ３）９０ｍｍ×奥行き（図４中Ｌ４）９０ｍｍである。発光部Ｒ１の両側に位置する発光部Ｒ２の幅は、それぞれ５ｍｍである。
【００２９】
（照明装置）
図３は、本実施の形態に係る照明装置を示す断面図である。図４は、図３に示す照明装置の平面図である。図３および図４を参照して、本実施の形態に係る照明装置１００について説明する。
【００３０】
図３に示すように、照明装置１００は、２つの面状発光素子１０、保持部材２０、光学部材３０および支持部材４０を備える。２つの面状発光素子１０は、所定の間隔Ｌ２を設けて２行１列の行列状に配置されている。間隔Ｌ２は、たとえば１５ｍｍ程度である。２枚の面状発光素子１０は、透明基板１２の外周１０Ｅ同士が面するように並べて配置される。このため、２枚に面状発光素子１０の発光部Ｒ１の間には、非発光領域ＮＬＡが形成される。非発光領域ＮＬＡの幅は、２５ｍｍ程度である。たとえば、面状発光素子１０および発光部Ｒ１は、面状発光素子１０の表面１０ａの法線方向から見た場合に、矩形形状を有する。
【００３１】
２つの面発光素子は、不図示の配線部材（銀ペースト、はんだ、導電性テープ等）で直列に配線されている。当該配線の両端に対して不図示の外部電源から電力を供給することにより、２つの面状発光素子１０が発光する。
【００３２】
保持部材２０は、面状発光素子１０の裏面１０ｂ側から２つの面状発光素子１０を保持する。保持部材２０としては、たとえば可撓性を有するＰＥＴ（polyethylene  terephthalate）、ＰＥＮ（polyethylene  naphthalate）、ＰＣ（poly  carbonate）、ＰＭＭＡ（polymethyl  methacrylate）等の透明樹脂フィルムを採用することができる。
【００３３】
なお、保持部材２０は、透光性を有さないように構成されていてもよく、たとえば、アルミニウム等の金属膜と樹脂フィルムの積層膜で構成されていてもよい。また、保持部材２０は、上記の透明樹脂フィルムに限定されず、可撓性を有さないＡＬ（アルミニウム）、ＳＵＳ（ステンレス鋼）等の金属製の筐体等で構成されていてもよい。
【００３４】
光学部材３０は、シート形状を有する。光学部材３０は、２つの面状発光素子１０に対して間隔Ｌ１を空けて面状発光素子１０の表面１０ａ側から２つの面状発光素子１０に対向するように配置されている。間隔Ｌ１は、たとえば２０ｍｍ〜３０ｍｍ程度である。間隔Ｌ１は、所望の値に設定される照明装置１００の厚さに応じて適宜変更することができる。
【００３５】
光学部材３０は、発光部Ｒ１と非発光領域ＮＬＡとによって生じる輝度差を低減させる機能を有する。光学部材３０としては、たとえば、印刷法等により表面にドットパターンが印刷された光拡散板を採用することができる。
【００３６】
ドットパターンは、たとえば発光部Ｒ１に対向する部分等の比較的明るくなる部分に多く設けられ、非発光領域ＮＬＡに対向する部分等の比較的暗くなる部分に少なく設けられる。
【００３７】
２つの面状発光素子１０の発光部Ｒ１から出射された光は、光学部材３０に到達した後、光学部材３０に入射する。光学部材３０に入射した光は、光学部材３０内で拡散されて外部に向けて出射される。ドットパターンによって光量を調整しつつ、光学部材３０により光が拡散されることによって、輝度の不均一性を低減し、非発光領域ＮＬＡをより一層目立たなくすることが可能となる。これにより、輝度ムラを低減させることができる。
【００３８】
なお、光拡散板としては、内部に微粒子を含むことで内部散乱作用を利用して光を拡散するものや、表面に凹凸を有することで界面反射作用を利用して光を拡散するもの等も利用することができる。
【００３９】
また、ドットパターンに代えて光学フィルタを別途設けてもよい。この場合には、光学フィルタは、その面内において、発光部Ｒ１に対向する領域よりも非発光領域ＮＬＡに対向する領域の方が透過率が高くなる光透過率分布を有する。光学フィルタは、たとえば、面状発光素子１０側に位置する光学部材３０の表面に貼り付けられる。
【００４０】
支持部材４０は、保持部材２０上に設けられ、光学部材３０を支持する。支持部材４０は、固定具４１と、支持体４２とを含む。支持体４２は、保持部材２０上に固定される。支持体４２は、たとえば直径１０ｍｍの円柱形状を有する。なお、支持体４２は、角柱形状を有していてもよい。支持体４２および固定具４１としては、たとえば樹脂材料を採用することができる。支持体４２および固定具４１は、透明であり、透光性を有することが好ましい。
【００４１】
光学部材３０側に位置する支持体４２の先端には、固定具４１の先端を受け入れ可能な挿入孔４３が設けられている。当該挿入孔４３に対応するように、光学部材３０には貫通孔３１が設けられている。支持体４２の挿入孔４３と光学部材３０の貫通孔３１とを重ね合わせて、貫通孔３１を介して固定具４１の先端を挿入孔に挿入する。これにより、光学部材３０が固定具４１と支持体４２によって挟持される。
【００４２】
図４に示すように、支持部材４０は、面状発光素子１０の表面１０ａの法線方向から見た場合に、後述する第１領域Ｒ３と後述する第２領域Ｒ４とが重なる第３領域Ｒ５に設けられている。第３領域Ｒ５に設置した場合には、後述するように互いに隣り合う面状発光素子１０間の隙間における輝度差が拡大することを防止することができる。
【００４３】
第１領域Ｒ３は、互いに隣り合う面状発光素子１０が並ぶ方向（図４中ＤＲ１方向）において、互いに隣り合う発光部Ｒ１間に形成される。互いに隣り合う面状発光素子１０が並ぶ方向は第１領域に相当する。第１領域Ｒ３についてより詳細に説明する。互いに隣り合う面状発光素子１０の一方の発光部Ｒ１は、他方の発光部Ｒ１に近い側に位置する角部Ｑ１，Ｑ２を有する。互いに隣り合う面状発光素子１０の他方の発光部Ｒ１は、一方の発光部Ｒ１に近い側に位置する角部Ｑ３，Ｑ４を有する。角部Ｑ１，Ｑ２，Ｑ３，Ｑ４によって囲まれる領域、すなわち、角部Ｑ１と角部Ｑ２を結ぶ線、角部Ｑ２と角部Ｑ４を結ぶ線、角部Ｑ４と角部Ｑ３を結ぶ線、角部Ｑ３と角部Ｑ１を結ぶ線によって囲まれる領域が第１領域Ｒ３に相当する。
【００４４】
第２領域Ｒ４は、互いに隣り合う面状発光素子１０が並ぶ方向（図４中ＤＲ１方向）において、互いに隣り合う面状発光素子１０間に形成される。第２領域Ｒ４についてより詳細に説明する。互いに隣り合う面状発光素子１０の一方は、他方の面状発光素子１０に近い側に位置する角部Ｐ１，Ｐ２を有する。互いに隣り合う面状発光素子１０の他方は、一方の面状発光素子１０に近い側に位置する角部Ｐ３，Ｐ４を有する。角部Ｐ１，Ｐ２，Ｐ３，Ｐ４によって囲まれる領域、すなわち、角部Ｐ１と角部Ｐ２を結ぶ線、角部Ｐ２と角部Ｐ４を結ぶ線、角部Ｐ４と角部Ｐ３を結ぶ線、角部Ｐ３と角部Ｐ１を結ぶ線によって囲まれる領域が第２領域Ｒ４に相当する。
【００４５】
支持部材４０は、第３領域Ｒ５内において図４中二点鎖線で示す第４領域Ｒ６に設けられることが好ましい。第４領域Ｒ６は、面状発光素子１０の表面の法線方向から見た場合に矩形形状を有する。第４領域Ｒ６は、第３領域Ｒ５が有する中心Ｏを中心として、幅Ｌ６が、互いに隣り合う面状発光素子１０が並ぶ方向（第１方向）における２つの面状発光素子１０間の間隔Ｌ２の半分であり、奥行きＬ５が、発光部Ｒ１の奥行きＬ４の半分となる領域である。第４領域Ｒ６において、幅Ｌ６は、第１方向に沿った長さに相当し、奥行きＬ５は、第１方向に直交する第２方向に沿った長さに相当する。第３領域の中心Ｏと第４領域の中心とは一致する。第４領域Ｒ６に支持部材４０を設置した場合には、互いに隣り合う面状発光素子１０間の隙間における輝度差をより確実に低減させることができる。
【００４６】
図５は、照明装置に具備される支持部材の設置位置を示す図である。図６から図８は、Ａ地点、Ｂ地点およびＣ地点に支持部材を設置した場合におけるＤ−Ｄ線に沿った輝度分布をそれぞれ示す図である。図５から図８を参照して、支持部材４０を設置する位置をＡ地点からＣ地点と変更させた場合における輝度分布の変化について説明する。
【００４７】
図５に示すように、隣り合う面状発光素子１０が並ぶ方向に直交するように中心Ｏを通過するＤ−Ｄ線上にＡ地点、Ｂ地点、Ｃ地点を設ける。Ａ地点は、第３領域Ｒ５の中心Ｏに位置する。Ａ地点においては、面状発光素子１０の表面１０ａの法線方向から見た場合に、支持部材４０の中心と第３領域Ｒ５の中心Ｏとが重なるように支持部材４０を設置する。
【００４８】
Ｂ地点は、隣り合う面状発光素子１０が並ぶ方向に直交する方向に中心Ｏから離れて位置し、第４領域Ｒ６の外側、かつ、第３領域Ｒ５の内側に位置する。Ｂ地点においては、２つの支持部材４０を設置した。２つの支持部材４０の一方は、支持部材４０の外周が、一方の発光部Ｒ１の角部Ｑ１と他方の発光部Ｒ１の角部Ｑ３とを結ぶ線に接するように設置する。２つの支持部材４０の他方は、支持部材４０の外周が、一方の発光部Ｒ１の角部Ｑ２と他方の発光部Ｒ１の角部Ｑ４とを結ぶ線に接するように設置する。
【００４９】
Ｃ地点は、隣り合う面状発光素子１０が並ぶ方向に直交する方向に中心Ｏから離れて位置し、第３領域Ｒ５の外側、かつ、第２領域Ｒ４内に位置する。Ｃ地点においては、２つの支持部材４０を設置する。
【００５０】
図６から図８においては、支持部材４０を設置しない場合におけるＤ−Ｄ線に沿った輝度分布を一点鎖線で示し、ＡからＣ地点に支持部材４０を設置した場合におけるＤ−Ｄ線に沿った輝度分布をそれぞれ実線で示している。
【００５１】
支持部材４０が設けられる領域には発光部Ｒ１が存在しない。このため、支持部材４０が設けられる領域は、発光部Ｒ１からの光の回り込みによって光量を得ている。Ｄ−Ｄ線に沿った領域では、発光部Ｒ１に近い中央部で光の回り込みが多くなる。中心Ｏから離れるにつれて発光部Ｒ１からの距離が大きくなると、光の回り込みが減少する。このため、支持部材４０を設けない場合には、図６から図８に示す一点鎖線のように、中央部で輝度が高くなり、中心Ｏから離れるにつれて輝度が低下する。第３領域Ｒ５の外側において輝度が最も低くなる。Ｄ−Ｄ線に沿った領域においては、角部Ｑ１および角部Ｑ３を結ぶ線とＤ−Ｄ線との交点Ｓ１、角部Ｑ２および角部Ｑ４を結ぶ線とＤ−Ｄ線との交点Ｓ２よりも中心Ｏから離れた領域において、輝度が最も低くなる。
【００５２】
図６に示すように、Ａ地点に支持部材４０を設置する場合には、発光部Ｒ１から回り込む光が、中心Ｏ近傍でけられる。このため、支持部材４０を設置しない場合と比較して、中心Ｏ近傍の輝度が低下する。Ｄ−Ｄ線に沿った輝度分布における最大値と最小値との差（輝度差）に関しては、Ａ地点に支持部材４０を設置した場合の輝度差Ｐ１は、支持部材４０を設置しない場合の輝度差Ｐ０よりも低くなる。
【００５３】
このように、Ａ地点に支持部材４０を設置する場合には、支持部材４０を設置しない場合と比較して、隣り合う面状発光素子１０間の隙間において輝度差を低減させることができ、輝度ムラを軽減させることができる。
【００５４】
図７に示すように、Ｂ地点に支持部材４０を設置する場合には、中心Ｏから離れ、輝度が低下していく領域において、発光部Ｒ１から回り込む光がけられる。具体的には、上述の交点Ｓ１および交点Ｓ２の内側であって、交点Ｓ１および交点Ｓ２に近い領域で発光部Ｒ１から回り込む光がけられる。一方、第３領域Ｒ５の外側であって、交点Ｓ１および交点Ｓ２よりも中心Ｏから離れた領域では、支持部材４０を設置しない場合と同等程度に発光部Ｒ１から出射された光が回り込む。また、中央部においても、支持部材４０を設置しない場合と同等程度に発光部Ｒ１から出射された光が回り込む。
【００５５】
このため、Ｄ−Ｄ線に沿った輝度分布における最大値と最小値との差（輝度差）に関しては、Ａ地点に支持部材４０を設置した場合の輝度差Ｐ２は、支持部材４０を設置しない場合の輝度差Ｐ１とほぼ同等となる。これにより、隣り合う面状発光素子１０間の隙間において輝度差が拡大することを防止することができる。
【００５６】
図８に示すように、Ｃ地点に支持部材４０を設置する場合には、第３領域Ｒ５の外側であって、交点Ｓ１および交点Ｓ２よりも中心Ｏから離れた領域において、発光部Ｒ１から回り込む光がけられる。これにより、第３領域Ｒ５の外側であって、輝度が最も低くなる領域において、さらに輝度が低下する。一方、中央部においては、支持部材４０を設置しない場合と同等程度に発光部Ｒ１から出射された光が回り込む。
【００５７】
このため、Ｄ−Ｄ線に沿った輝度分布における最大値と最小値との差（輝度差）に関しては、Ａ地点に支持部材４０を設置した場合の輝度差Ｐ３は、支持部材４０を設置しない場合の輝度差Ｐ１よりも大きくなる。これにより、隣り合う面状発光素子１０間の隙間において輝度差が拡大する。
【００５８】
ここで、光学部材３０を用いて輝度ムラを低減させる場合には、たとえば特開２０１０−１０３０１３号公報に記載のように、輝度差レベルに応じて光学部材３０の面内において拡散率を変更させる。また、上述のようなドットパターンや光学フィルムを光学部材３０に設けて、輝度が高い部分の輝度が低くなるように面内の輝度を補正する。いずれの場合であっても、輝度差を小さくなるように補正する。このため、補正前の状態で輝度差が大きい場合には、発光部Ｒ１の上方で得られる最大の輝度を大きく下げなければ、照明装置面内の輝度差を所望の範囲内に抑えることができない。光学部材３０による過大な輝度の補正は、発光効率の低下を招く。したがって、互いに隣接する面状発光素子１０間に支持部材４０を設置する場合には、輝度差への影響を最小限に抑えることが好ましい。
【００５９】
本実施の形態においては、支持部材４０を第３領域Ｒ５内に設ける。このように支持部材４０を設置した場合には、隣り合う面状発光素子１０間の隙間において輝度差が、支持部材４０を設置しない場合における輝度差と比較して、同等以下となる。このため、支持部材４０を設置しない場合と比較して、過大に輝度を低下するように補正する必要がない。これにより、照明装置１００の発光効率が低下することを防止することができる。
【００６０】
また、第４領域Ｒ６内に支持部材４０を設置することにより、輝度がより高くなる領域において、発光部Ｒ１から回り込む光がけられる。このため、隣り合う面状発光素子１０間の隙間における輝度差が、支持部材４０を設置しない場合における輝度差よりも拡大することをより確実に防止することができる。これにより、照明装置１００の発光効率が低下することをより確実に防止することができる。
【００６１】
また、支持部材４０を第３領域Ｒ５の中心Ｏ近傍に設置することにより、隣り合う面状発光素子１０間の隙間において輝度差は、支持部材４０を設置しない場合における輝度差と比較して、小さくなる。これにより、互いに隣り合う面状発光素子１０間の隙間における輝度ムラを低減させることができ、照明装置全体における輝度ムラも低減させることができる。
【００６２】
（変形例）
図９は、変形例に係る照明装置おいて図５に示すＡ地点に支持部材を設置した場合における図５に示すＤ−Ｄ線に沿った輝度分布を示す図である。図９を参照して、変形例に係る照明装置について説明する。
【００６３】
本変形例に係る照明装置は、実施の形態１に係る照明装置１００と比較して、光学部材３０と保持部材２０との間に形成される空間に面する支持部材４０の表面が、光拡散性を有する点において相違する。その他の構成については、ほぼ同様である。
【００６４】
支持体４２の表面には、光拡散性を有する拡散塗料が塗布されている。拡散塗料としては、たとえば、バインダー樹脂に光拡散性粒子を添加したものを用いることができる。なお、支持体４２形成時に支持体４２内に光拡散性を有する粒子、粉末を分散させることにより、支持体４２の表面が光拡散性を有していてもよい。
【００６５】
図９においては、支持部材を設けない場合における輝度分布を一点鎖線で示し、実施の形態１に係る照明装置においてＡ地点に支持部材を設けた場合における輝度分布を二点鎖線で示し、変形例に係る照明装置においてＡ地点に支持部材を設けた場合における輝度分布を実線で示している。
【００６６】
変形例においても支持部材４０において中央部で一部の光がけられるため、Ｄ−Ｄ線に沿った輝度分布における最大値と最小値との差（輝度差Ｐ４）は、支持部材４０を設けない場合の輝度差Ｐ１よりも小さくなる。
【００６７】
一方、本変形にあっては、支持体４２の表面が光拡散性を有することにより、発光部Ｒ１から回り込んだ光が、支持体４２の表面で拡散される。これにより、実施の形態１と比較して、支持体４２の周囲に回り込む光の量が増加する。このため、本変形例にあっては、実施の形態１と比較して、中央部での輝度の減少が抑制される。これにより、変形例における輝度差Ｐ４は、実施の形態１における輝度差Ｐ１よりも大きくなる。
【００６８】
本変形例にあっては、発光部Ｒ１と、非発光領域ＮＬＡとの輝度差で考えると、照明装置全体としての輝度差は、実施の形態１よりも小さくなる方向に変化する。このため、本変形例は、実施の形態１と比較して、ほぼ同等の効果が得られるのに加えて、照明装置全体として輝度ムラが低減される。
【００６９】
（実施の形態２）
図１０は、本実施の形態に係る照明装置を示す平面図である。図１０を参照して、本実施の形態に係る照明装置１００Ａについて説明する。
【００７０】
図１０に示すように、本実施の形態においては、複数の面状発光素子１０Ａ，１０Ｂ，１０Ｃ，１０Ｄが所定の間隔を空けて２行２列の行列状に配置されている。保持部材は、面状発光素子の裏面側から４つの面状発光素子１０Ａ，１０Ｂ，１０Ｃ，１０Ｄを保持する。光学部材３０は、４つの面状発光素子１０Ａ，１０Ｂ，１０Ｃ，１０Ｄに対して間隔Ｌ１を空けて面状発光素子の表面側から４つの面状発光素子１０Ａ，１０Ｂ，１０Ｃ，１０Ｄに対向するように配置されている。支持部材４０Ａ，４０Ｂ，４０Ｃ，４０Ｄは、保持部材２０上に設けられ、光学部材３０を支持する。
【００７１】
支持部材４０Ａは、実施の形態１同様に、面状発光素子の表面の法線方向から見た場合に、互いに隣り合う面状発光素子１０Ａ，１０Ｂが並ぶ方向（図中ＤＲ１方向）において、互いに隣り合う発光部Ｒ１間に形成される第１領域Ｒ３Ａと、互いに隣り合う面状発光素子１０Ａ，１０Ｂが並ぶ方向（図中ＤＲ１方向）において、互いに隣り合う面状発光素子１０間に形成される第２領域Ｒ４Ａとが重なる第３領域Ｒ５Ａに設けられる。
【００７２】
支持部材４０Ｂは、面状発光素子の表面の法線方向から見た場合に、互いに隣り合う面状発光素子１０Ｂ，１０Ｃが並ぶ方向（図中ＤＲ２方向）において、互いに隣り合う発光部Ｒ１間に形成される第１領域Ｒ３Ｂと、互いに隣り合う面状発光素子１０Ｂ，１０Ｃが並ぶ方向（図中ＤＲ２方向）において、互いに隣り合う面状発光素子１０間に形成される第２領域Ｒ４Ｂとが重なる第３領域Ｒ５Ｂに設けられる。
【００７３】
支持部材４０Ｃは、面状発光素子の表面の法線方向から見た場合に、互いに隣り合う面状発光素子１０Ｃ，１０Ｄが並ぶ方向（図中ＤＲ１方向）において、互いに隣り合う発光部Ｒ１間に形成される第１領域Ｒ３Ｃと、互いに隣り合う面状発光素子１０Ｃ，１０Ｄが並ぶ方向（図中ＤＲ１方向）において、互いに隣り合う面状発光素子１０間に形成される第２領域Ｒ４Ｃとが重なる第３領域Ｒ５Ｂに設けられる。
【００７４】
支持部材４０Ｄは、面状発光素子の表面の法線方向から見た場合に、互いに隣り合う面状発光素子１０Ｄ，１０Ａが並ぶ方向（図中ＤＲ２方向）において、互いに隣り合う発光部Ｒ１間に形成される第１領域Ｒ３Ｄと、互いに隣り合う面状発光素子１０Ｄ，１０Ａが並ぶ方向（図中ＤＲ２方向）において、互いに隣り合う面状発光素子１０間に形成される第２領域Ｒ４Ｄとが重なる第３領域Ｒ５Ｄに設けられる。
【００７５】
このように支持部材４０Ａ，４０Ｂ，４０Ｃ，４０Ｄを設けることにより、多くの面状発光素子を行列状に配置した場合であっても、隣り合う面状発光素子間の隙間において輝度差を低減させることができ、実施の形態１同様の効果を得ることができる。
【００７６】
上述した実施の形態１，２および変形例にあっては、支持部材４０のうち少なくとも光学部材３０と保持部材２０との間に位置する部分が光透過性を有することが好ましい。この場合には、少なくとも支持体４２が透明樹脂によって構成される。発光部Ｒ１から回り込む光が支持体４２によってけられることを抑制でき、これにより、互いに隣り合う面状発光素子１０間の隙間における輝度ムラを低減させることができる。固定具４１は、金属材料に構成することが可能であるが、透明樹脂にて構成することが好ましい。この場合には、支持部材４０が視認されにくくなり、デザイン性が向上するとともに、光の利用効率が増加する。
【００７７】
上述した実施の形態１，２および変形例にあっては、面状発光素子が、いわゆるボトムエミッション型の有機ＥＬ素子である場合を例示して説明したが、これに限定されず、トップエミッション型の有機ＥＬ素子であってもよい。また、面状発光素子１０が、複数の発光ダイオード（ＬＥＤ）と拡散板とから構成されていてもよいし、冷陰極管等を用いて構成されていてもよい。
【００７８】
上述した実施の形態１，２および変形例にあっては、面状発光素子および発光部Ｒ１が矩形形状を有する場合を例示して説明したが、これに限定されず、多角形状、円形状等を有していてもよい。
【００７９】
以上、本発明の実施の形態について説明したが、今回開示された実施の形態はすべての点で例示であって制限的なものではない。本発明の範囲は特許請求の範囲によって示され、特許請求の範囲と均等の意味および範囲内でのすべての変更が含まれる。
【符号の説明】
【００８０】
１０，１０Ａ，１０Ｂ，１０Ｃ，１０Ｄ  面状発光素子、１０ａ  表面、１０ｂ  裏面、１２  透明基板、１３  陽極、１４  有機層、１５  陰極、１６  封止層、１７  絶縁層、１８，１９  電極部、２０  保持部材、３０  光学部材、３１  貫通孔、４０，４０Ａ，４０Ｂ，４０Ｃ，４０Ｄ  支持部材、４１  固定具、４２  支持体、４３  挿入孔、１００，１００Ａ  照明装置。
【図１】
2015173009.tif 000003
【図２】
2015173009.tif 000004
【図３】
2015173009.tif 000005
【図４】
2015173009.tif 000006
【図５】
2015173009.tif 000007
【図６】
2015173009.tif 000008
【図７】
2015173009.tif 000009
【図８】
2015173009.tif 000010
【図９】
2015173009.tif 000011
【図１０】
2015173009.tif 000012